(57)【特許請求の範囲】
【請求項１】
分岐部の電線を保持するための電線受部と、該電線受部をワイヤハーネスの組立作業台上に立設するための支柱とからなる分岐用電線保持具において、
前記電線受部は分岐点を中心として対向して配置された少なくとも２対の腕部を備えると共に、隣接する前記腕部間の隙間部分を布線される電線束の支持部とし、前記分岐点を中心として対向する各腕部の内面には結束バンドを一方の腕部から他方の腕部に向けてＵ字状に屈曲しながら案内する案内溝をそれぞれ形成し、該案内溝は前記支持部に支持される電線束に対し該電線束に干渉しないように該電線束の下方を通過する案内軌道に沿って形成していることを特徴とする分岐用電線保持具。
【請求項２】
前記案内溝は結束バンドの幅寸法に略対応する溝幅と結束バンドの厚み寸法より深い溝深さに形成している請求項１に記載の分岐用電線保持具。
【請求項３】
前記分岐点に対応する電線受部の基部には、前記結束バンドが挿通される挿通口を備えたクリップを嵌合保持可能な嵌合凹部を更に備え、前記各腕部に形成された案内溝の案内軌道の一部を前記嵌合凹部に保持されたクリップの挿通口によって代用させる構成としている請求項１または請求項２に記載の分岐用電線保持具。
【請求項４】
前記請求項１または請求項２に記載の分岐用電線保持具を用いた分岐部を有するワイヤハーネスの製造方法であって、
前記電線受部の対向する支持部間に沿って電線を布線すると共に、布線される電線の一部を他の支持部側へ分岐させるように布線して少なくとも十字状に分岐する分岐部を構成し、
次いで対向する前記各腕部の案内溝に沿って一方の腕部から他方の腕部へ向けて結束バンドを先端部側からそれぞれ順次挿入して各結束バンドを電線束の分岐点の下面側を通してＵ字状に案内し、
対向する前記他方の腕部から突出した各結束バンドの先端部を基端部の係止部に挿通して締め付けることで電線束の分岐部に対し各結束バンドを交叉状に締め付け固定するようにしたことを特徴とする分岐部を有するワイヤハーネスの製造方法。
【請求項５】
前記請求項３に記載の分岐用電線保持具を用いた分岐部を有するワイヤハーネスの製造方法であって、
前記電線受部の基部に設けた嵌合凹部に、前記結束バンドの挿通口を備えたクリップを嵌合保持し、
次いで前記電線受部の対向する支持部間に沿って電線を布線すると共に、布線される電線の一部を他の支持部側へ分岐させるようにして布線して少なくとも十字状に分岐する分岐部を構成し、
次いで対向する前記各腕部の案内溝に沿って一方の腕部から他方の腕部へ向けて結束バンドを先端部側からそれぞれ順次挿入して各結束バンドを電線束の分岐点の下面側で前記クリップの挿通口を通過させるようにしてＵ字状に案内し、
対向する前記他方の腕部から突出した各結束バンドの先端部を基端部の係止部に挿通して締め付けることで電線束の分岐部に対し各結束バンドを交叉状に締め付け固定すると共に、電線束の分岐点の下面側に前記クリップを固定するようにしたことを特徴とする分岐部を有するワイヤハーネスの製造方法。
【発明の詳細な説明】
【技術分野】
【０００１】
本発明は、分岐用電線保持具および分岐部を有するワイヤハーネスの製造方法に関し、詳しくは、ワイヤハーネスの分岐部に対し、簡易な操作により結束バンドを締め付け固定可能とするものである。
【背景技術】
【０００２】
従来、自動車に配索されるワイヤハーネスには幹線から支線が分岐している箇所が多数存在し、この分岐位置がずれないように電線群にテープを巻き付けて結束している。この分岐部の結束は、ワイヤハーネス組立作業台に立設した電線保持具に電線束を布線した状態で行っている。これら電線束を結束する粘着テープは、幹線から支線が分岐する位置では、電線保持具の支持棒の間に電線束が保持されている状態では支持棒が邪魔となって粘着テープを電線束に巻き付けることができない。
そのため、電線保持具を下降させて電線束を電線保持具から外した状態で粘着テープをたすき掛け状態に交叉させて巻き付けている。このように、分岐部における粘着テープのたすき掛け作業は熟練を要し、作業者の熟練度合いによって結束状態にバラツキが発生しやすく、かつ、ワイヤハーネスには分岐位置が多いために作業時間がかかるという問題がある。また、分岐部に粘着テープを巻き付ける際に電線束を電線保持具から取り出すため、粘着テープを巻き付ける分岐位置にずれが発生しやすく、分岐部の位置精度が低下するという問題もある。
【０００３】
そこで、本出願人は、テープ巻きに代えて汎用の結束バンドで分岐部を結束固定する分岐部結束方法を特開２００５−２７４６３号（特許文献１）で提供している。この結束方法では、図１１（Ａ）（Ｂ）に示すように、先ずワイヤハーネスの組立作業台１上に立設した電線保持具２を通して電線を布線し、この電線保持具２の上部に設けた電線保持棒２ａ、２ｂ、２ｃの間を通して幹線Ｗａより支線ＷｂをＴ字状に分岐させている。次いで、電線束Ｗに対して、分岐部Ｐの電線束Ｗを電線保持具２から取り出さない状態で、一対の結束バンド３Ａ、３Ｂを支線Ｗｂの両側で幹線Ｗａに巻き付ける。しかる後、結束バンド３Ａ、３Ｂの先端側を交叉させ、他方の結束バンド３Ａ、３Ｂの基部に設けた係止部３ａ、３ｂにそれぞれ挿入して係止させ、電線束Ｗの分岐点Ｐに対応する位置で結束バンド３Ａ、３Ｂをたすき掛け状態に交叉させて締結している。なお、結束バンド３Ａ、３Ｂは両者の基部を一定間隔に保持するための別体の補助部材４に挿通しておくことで作業性の向上を図っている。
また、分岐点Ｐにクリップ５を固定する場合には、図１１（Ｃ）に示すように、クリップ５を有する別体の補助部材６を両方の結束バンド３Ａ、３Ｂに挿通して保持させることで分岐点Ｐ付近にクリップ５を固定することができる。
【０００４】
【特許文献１】特開２００５−２７４６３号公報
【発明の開示】
【発明が解決しようとする課題】
【０００５】
上記のように、図１１（Ａ）（Ｂ）に示す方法によれば、電線保持具２に保持された状態の電線束Ｗの分岐点Ｐに対し、その保持状態を維持しつつ汎用の結束バンド３Ａ、３Ｂを用いて交叉状態に結束することができる。しかしながら、分岐点Ｐに対し結束バンド３Ａ、３Ｂを巻回するには電線保持棒２ａ、２ｂ、２ｃを巻き込まないように注意しながら電線保持棒２ａ、２ｂ、２ｃの内側で巻き付け作業をする必要があり、更に、２本の結束バンド３Ａ、３Ｂに対し、相互に相手側の係止部に挿通するように交叉させなければならず、その作業手順が複雑となる。
また、図１１（Ｃ）に示す方法によれば、分岐点Ｐ付近にクリップ５を取り付けることもできるが、この場合、別体の補助部品６を別途必要とすると共に、分岐点Ｐの中心位置にクリップ５を取り付けることができれば、ワイヤハーネスを車体へ取り付ける場合、少ないポイントでワイヤハーネスを安定良く固定することが可能となるが、上記方法ではクリップ５の取付位置の位置決め手段がないので、分岐点Ｐに正確に合致する位置にクリップ５を取り付けるのが困難であるという問題がある。
【０００６】
本発明は上記した問題に鑑みてなされたもので、熟練を要することなく簡易な操作により電線保持具に保持された状態における分岐部に対し、汎用の結束バンドを交叉状態で結束可能な電線保持具および分岐部を有するワイヤハーネスの製造方法を提供することを課題としている。
【課題を解決するための手段】
【０００７】
上記課題を解決するため、本発明では、分岐部の電線を保持するための電線受部と、該電線受部をワイヤハーネスの組立作業台上に立設するための支柱とからなる分岐用電線保持具において、
前記電線受部は分岐点を中心として対向して配置された少なくとも２対の腕部を備えると共に、隣接する前記腕部間の隙間部分を布線される電線束の支持部とし、前記分岐点を中心として対向する各腕部の内面には結束バンドを一方の腕部から他方の腕部に向けてＵ字状に屈曲しながら案内する案内溝をそれぞれ形成し、該案内溝は前記支持部に支持される電線束に対し該電線束に干渉しないように該電線束の下方を通過する案内軌道に沿って形成していることを特徴とする分岐用電線保持具を提供している。
【０００８】
上記構成によれば、電線受部の各腕部間の支持部によって分岐形態に保持された電線束に対し、支持部による支持状態を維持したままで、対向する腕部に形成した案内溝に沿って結束バンドを挿入するのみの容易な操作により、分岐部の外周位置に結束バンドを交叉させた状態で配置することができる。そして、各結束バンドのそれぞれの係止部に対し結束バンドの先端部を順次挿入して締め付けることで分岐部に対し結束バンドによる交叉状態の固定化を実行することができる。
【０００９】
また、前記案内溝は結束バンドの幅寸法に略対応する溝幅と結束バンドの厚み寸法より深い溝深さに設定するのが好ましい。
このように構成すれば、結束バンドを分岐部の外周に対し交叉状態に案内する所要経路から外れることがなく、かつ支持された電線束に干渉することもなく、結束バンドを容易かつ確実に所要位置に配置することができる。
【００１０】
また、前記分岐点に対応する電線受部の基部には、前記結束バンドが挿通される挿通口を備えたクリップを嵌合保持可能な嵌合凹部を更に備え、前記各腕部に形成された案内溝の案内軌道の一部を前記嵌合凹部に保持されたクリップの挿通口によって代用させる構成としてもよい。
このようにすれば、電線受部に保持された電線束の分岐点に取り付けるべきクリップを電線受部の基部に配置して位置決めしておくことができ、このクリップに対し、案内溝の軌道に従って結束バンドを挿入するのみで、クリップの挿通口に結束バンドを交叉状態で挿通することができる。よって、結束バンドをそれぞれ分岐部に対し交叉状態で締め付けると同時にクリップを分岐点に対し精度よく位置決め固定することができる。
【００１１】
また、他の発明では、前記分岐用電線保持具を用いて、分岐部を有するワイヤハーネスを製造するに際し、前記電線受部の対向する支持部間に沿って電線を布線すると共に、布線される電線の一部を他の支持部側へ分岐させるように布線して少なくとも十字状に分岐する分岐部を構成し、
次いで対向する前記各腕部の案内溝に沿って一方の腕部から他方の腕部へ向けて結束バンドを先端部側からそれぞれ順次挿入して各結束バンドを電線束の分岐点の下面側を通してＵ字状に案内し、
対向する前記他方の腕部から突出した各結束バンドの先端部を基端部の係止部に挿通して締め付けることで電線束の分岐部に対し各結束バンドを交叉状に締め付け固定するようにしたことを特徴とする分岐部を有するワイヤハーネスの製造方法を提供している。
【００１２】
このような手順で、分岐用電線保持具によって電線束を所要の分岐形態に布線した後、各腕部に形成された案内溝に沿って互いに対向する反対側の腕部に向けて結束バンドを挿通するのみで、電線束に対し結束バンドを分岐点で交叉させた状態で案内配置することができる。よって、対向する腕部間に挿通された結束バンドを係止部で締め付るのみで、電線受部に電線束を保持した状態のまま分岐部に対し結束バンドを交叉状に締め付け固定することができる。
【００１３】
また、分岐部にクリップを取付固定する場合には、
前記電線受部の基部に設けた嵌合凹部に、前記結束バンドの挿通口を備えたクリップを嵌合保持し、
次いで前記電線受部の対向する支持部間に沿って電線を布線すると共に、布線される電線の一部を他の支持部側へ分岐させるようにして布線して少なくとも十字状に分岐する分岐部を構成し、
次いで対向する前記各腕部の案内溝に沿って一方の腕部から他方の腕部へ向けて結束バンドを先端部側からそれぞれ順次挿入して各結束バンドを電線束の分岐点の下面側で前記クリップの挿通口を通過させるようにしてＵ字状に案内し、
対向する前記他方の腕部から突出した各結束バンドの先端部を基端部の係止部に挿通して締め付けることで電線束の分岐部に対し各結束バンドを交叉状に締め付け固定すると共に、電線束の分岐点の下面側に前記クリップを固定するようにしたことを特徴とする分岐部を有するワイヤハーネスの製造方法を提供している。
【００１４】
このようにすれば、電線受部の基部に設けた嵌合凹部に予めクリップを嵌合配置しておくのみで、前記結束バンドを交叉状に案内配置する操作と同様の作業によって、クリップの挿通口に結束バンドを挿通することができる。よって、結束バンドを締め付け操作すると同時に電線受部に保持された電線束の分岐点に対し精度良くクリップを位置決め固定することができる。
【発明の効果】
【００１５】
以上の説明より明らかなように、本発明の電線保持具によれば、ワイヤハーネスの分岐部として電線受部に、所要の分岐形態に保持された電線束に対し、汎用の結束バンドを外周に交叉状に配置すべく対向する腕部に設けた案内溝によって案内することができる。よって、電線保持具から電線束を取り外すことなく、かつ汎用の結束バンドを用いて、簡易な操作により分岐部に対し結束バンドを交叉状の所要位置に配置することができる。
また、分岐部を有するワイヤハーネスの製造方法によれば、電線受部の対向する腕部に形成された案内溝に沿って汎用の結束バンドを挿通し、挿通された結束バンドの先端をその基部に設けた係止部に挿通して締め付けるのみで、分岐部に対し結束バンドを交叉状態で締め付け固定したワイヤハーネスを提供することができる。
更に、クリップを備えた分岐部を製造する場合においても、クリップを電線受部の嵌合凹部に嵌合保持した状態で、同様に結束バンドを対向する腕部の案内溝に沿って挿入するのみで、分岐点に正確に位置決めされたクリップを備えたワイヤハーネスを提供することができる。
【発明を実施するための最良の形態】
【００１６】
以下、本発明の実施形態を図面を参照して説明する。
図１〜図６は分岐用の電線保持具の第１実施形態を示し、この電線保持具１０は布線される電線束Ｗを受け入れて保持する合成樹脂製の電線受部１１を上端に備えた金属製の支柱１２と、この支柱１２をワイヤハーネスの組立作業台Ｔの所定位置に取付固定するためのボルト・ナットからなる取付部１３とから構成している。
【００１７】
電線受部１１は、ワイヤハーネスの分岐部Ａに布線される電線束を所要方向に案内するために分岐点Ｐに対応する基部１１ａの中心位置から四方に向けて延出すると共に略垂直上方へ立設した４本の腕部１３Ａ、１３Ｂ、１３Ｃ、１３Ｄを備えている。この四本の腕部１３Ａ、１３Ｂ、１３Ｃ、１３Ｄの隣接する溝状の隙間部分を布線される電線束Ｗを受け入れて支持する支持部１４Ａ、１４Ｂ、１４Ｃ、１４Ｄとし、その基端部１４ａ、１４ｂ…を電線束Ｗの高さ方向の支持位置を規制する部分としている。なお、電線受部１１は支柱１２に対し着脱して各種形状のものに対応することができるように支柱１２の上端に形成した雄ネジ部１２ａに対応する雌ネジ部１５を備えている。
【００１８】
また、対向する２対の腕部１３Ａ、１３Ｃおよび腕部１３Ｂ、１３Ｄの内面には、一方から他方に向けてその軌道がＵ字状に屈曲した経路となる案内溝１３ａ、１３ｂを形成している。案内溝１３ａ、１３ｂは、案内すべき後述の結束バンドＢ１、Ｂ２の幅寸法に略対応すると共に厚さ寸法より深く形成した断面凹状に形成している。また、案内溝１３ａ、１３ｂは電線保持具１０に保持された電線束Ｗの外周に干渉することがないように、その外周より外側下方を通過する軌道に沿って形成されている。即ち、電線束Ｗを支持する支持部１４Ａ、１４Ｂ、１４Ｃ、１４Ｄの基端部１４ａ、１４ｂ…の高さ位置より、結束バンドＢ１、Ｂ２の案内溝１３ａ、１３ｂの下端位置が下方になる寸法設定としている。案内溝１３ａ、１３ｂの上端の入り口付近では、案内溝１３ａ、１３ｂに対する結束バンドＢ１、Ｂ２の挿通作業を容易にするため、上方外方に向けて緩い角度で傾斜する導入傾斜面１３ｃを形成している。
【００１９】
図４（Ａ）（Ｂ）は、汎用の結束バンドＢ１、Ｂ２を示し、ワイヤハーネスの分岐部Ａに対し、交叉させた状態で結束するのに十分な長さのバンド本体部Ｂａと、一端に設けた係止部Ｂｂとからなっている。バンド本体部Ｂａの内面には係止部Ｂｂの係止爪Ｂｃに係止してラッチ機構を構成するための係止溝Ｂｄを備えている。
【００２０】
次に上記構成からなる電線保持具１０を用いて十字状の４方向に交差する分岐部Ａを有するワイヤハーネスの製造工程について説明すると、
先ず、ワイヤハーネスの組立作業台上の布線経路に沿って立設されたＵ字状の通常の電線受具(図示せず）に沿って電線を布線する。分岐点Ｐに対応する位置には、分岐用の電線保持具１０を立設しておき、図３（Ａ）（Ｂ）に示すように、幹線Ｗａを支持部１４Ａから１４Ｃにわたって係止するようにして直線方向に布線する。そして、幹線Ｗａから分岐すべき支線Ｗｂを分岐点Ｐにおいて幹線Ｗａに対し直交する方向に向けて布線し、支持部１４Ｂ、１４Ｄにそれぞれ係止する。このようにして、電線束Ｗによる十字状の分岐部Ａが構成される。
【００２１】
次いで、図５（Ａ）に示すように、対向する２対の腕部１３Ａ、１３Ｃと腕部１３Ｂ、１３Ｄのうち、先ず一方の腕部１３Ｃにおける案内溝１３ａの始点に沿って結束バンドＢ１を先端側から対向する他方の腕部１３Ａに向けて挿入する。挿入された結束バンドＢ１は案内溝１３ａに案内されながら分岐部Ａを構成する幹線Ｗａおよび支線Ｗｂの基部に干渉することなく、その下方の軌道を通ってＵ字状に屈曲し、対向する反対側の腕部１３Ａにおける案内溝１３ａの端部から突出する。次いで、図５（Ｂ）に示すように、腕部１３Ａから突出した結束バンドＢ１の先端部を対応する基端部の係止部Ｂｂに挿通して締め付け操作する。
【００２２】
そして、他方の腕部１３Ｂ、１３Ｄの案内溝１３ｂにも上記と同様の操作により結束バンドＢ２を挿入すると共に、突出した先端部を係止部Ｂｂに挿通して締め付け操作する。このようにして、分岐部Ａを構成する電線束Ｗ（幹線Ｗａ、支線Ｗｂ）に対し２本の結束バンドＢ１、Ｂ２を交叉状に締め付け固定することで、所要の分岐点Ｐに対し精度よく合致する分岐部Ａを形成することができる。このように、電線保持具１０から幹線Ｗａおよび支線Ｗｂを持ち上げることなく支持部１４Ａ、１４Ｂ、１４Ｃ、１４Ｄに支持させた状態で電線束Ｗの分岐部Ａに対し結束バンドＢ１、Ｂ２を下面側で交叉させた状態で定位置に配置すると共に、締め付け操作することができる。
【００２３】
以上のように、分岐用の電線保持具１０を用いることで、汎用の結束バンドＢ１、Ｂ２を用い、かつ、それぞれの結束バンドＢ１、Ｂ２の独立した通常の締め付け操作により分岐部Ａに対し、結束バンドＢ１、Ｂ２を交叉状に締め付け操作することができる。更に、結束バンドＢ１、Ｂ２による締め付け操作までの間、電線保持具１０に布線された幹線Ｗａおよび支線Ｗｂは、支持部１４Ａ、１４Ｂ、１４Ｃ、１４Ｄに支持したままで、持ち上げる必要がないので、電線束Ｗが引っ張られることによる分岐点Ｐの位置ズレを生じることもなく、簡易な操作により分岐点Ｐに対する位置決め精度のよい分岐部Ａを有するワイヤハーネスを製造することができる。
【００２４】
図７〜図１１は第２実施形態の分岐用の電線保持具２０を示し、上記第1実施形態の電線保持具１０に対し、電線受部２１の基部２１ａにクリップＣを嵌合保持可能な嵌合凹部２６を更に備えた構成としている。即ち、図８（Ａ）〜（Ｃ）に示すように、２本の結束バンドＢ１、Ｂ２の中間部に別体のクリップＣを挿通することで分岐部ＡにクリップＣを装着可能とするものである。このクリップＣは、結束バンドＢ１、Ｂ２が重ねて挿通される挿通孔Ｃａを形成した台部Ｃｂと、車体の係止孔に嵌合して係止するための係止爪Ｃｃが突設された固定部Ｃｄと、台部Ｃｂと固定部Ｃｄとの中間部に形成された皿部Ｃｅとから構成されている。
【００２５】
第２実施形態の電線保持具２０は、布線される電線束Ｗを受け入れて保持する合成樹脂製の電線受部２１を第１実施形態と同様に、金属製の支柱１２の上端に着脱可能に取り付けている。この電線受部２１は、ワイヤハーネスの分岐部Ａとして布線される電線束Ｗを所要方向に案内するために分岐点Ｐに対応する基部２１ａの中心位置から四方に向けて延出すると共に略垂直上方へ立設した４本の腕部２３Ａ、２３Ｂ、２３Ｃ、２３Ｄを備えている。この４本の腕部２３Ａ、２３Ｂ、２３Ｃ、２３Ｄの隣接する溝状の隙間部分を布線される電線束Ｗを受け入れて支持する支持部２４Ａ、２４Ｂ、２４Ｃ、２４Ｄとし、その基端部２４ａ、２４ｂ…を電線束Ｗの高さ方向の支持位置を規制する部分としている。なお、電線受部２１は支柱１２に対し着脱して各種形状のものに対応する雌ネジ部２５を備えている。
【００２６】
第２実施形態では、基部２１ａに嵌合凹部２６を備える分、各腕部２３Ａ、２３Ｂ、２３Ｃ、２３Ｄは、第１実施形態に比べてより外方へ拡がった位置に形成されているが、支持部２４Ａ、２４Ｂ、２４Ｃ、２４Ｄの幅、即ち、保持すべき電線束Ｗの太さがに応じて、各腕部２３Ａ、２３Ｂ、２３Ｃ、２３Ｄの幅寸法を広くすることで、各支持部２４Ａ、２４Ｂ、２４Ｃ、２４Ｄの間隔を調整して対応させることができる。対向する対の腕部２３Ａ、２３Ｃおよび腕部２３Ｂ、２３Ｄの内面には、一方から他方に向けてその軌道がＵ字状に屈曲した経路となる案内溝２３ａ、２３ｂを形成している。案内溝２３ａ、２３ｂは、案内すべき結束バンドＢ１、Ｂ２の幅寸法に略対応すると共に厚さ寸法より深く形成した断面凹状に形成している。また、案内溝２３ａ、２３ｂは電線保持具２０に保持された電線束Ｗの外周に干渉することがないように、その外周より外側下方を通過する軌道に沿って形成されている。即ち、電線束Ｗを支持する支持部２４Ａ、２４Ｂ、２４Ｃ、２４Ｄの基端部２４ａ、２４ｂ…の高さ位置より、結束バンドＢ１、Ｂ２の案内溝２３ａ、２３ｂの下端を下方位置に設定している。案内溝２３ａ、２３ｂの上端の入り口付近では、案内溝２３ａ、２３ｂに対する結束バンドＢ１、Ｂ２の挿通作業を容易にするため、上方外方に向けて緩い角度で傾斜する導入傾斜面２３ｃを形成している。
【００２７】
図７（Ｂ）（Ｃ）に示すように、電線受部２１の基部２１ａの内面には、各腕部２３Ａ、２３Ｂ、２３Ｃ、２３Ｄに形成された案内溝２３ａ、２３ｂの経路の途中を分割するようにして、クリップＣを嵌合保持可能な嵌合凹部２６を形成している。嵌合凹部２６は、クリップＣに対し結束バンドＢ１、Ｂ２が交叉して挿通される向きにクリップＣを保持可能とするように、その長手方向が支持部２４Ａ、２４Ｃの方向に対応するように形成している。また、嵌合凹部２６は、固定部Ｃｄを嵌合保持する第１凹部２６ａと、皿部Ｃｅを受け入れる第２凹部２６ｂとからなっている。なお、第１凹部２６ａは係止爪Ｃｃを閉じ方向に弾性変形させることで安定してクリップＣを保持できる寸法に設定してもよい。また、嵌合凹部２６は、クリップＣを嵌合保持した状態で、台部Ｃｂの挿通孔Ｃａが各腕部２３Ａ、２３Ｂ、２３Ｃ、２３Ｄの案内溝２３ａ、２３ｂによる案内軌道の一部を代用できる位置に挿通孔Ｃａが配置される深さ寸法に設定している。
なお、その他の構成において第１実施形態と同様の部分は、同一符号を付してその説明を省略する。
【００２８】
次に上記構成からなる第２実施形態の電線保持具２０を用いて分岐部を有するワイヤハーネスの製造について説明すると、
第１実施形態と同様に、ワイヤハーネスの組立作業台上の分岐点Ｐに電線保持具２０を立設しておく。そして、この電線保持具２０の嵌合凹部２６に対し、図９（Ａ）に示すように、クリップＣの台部Ｃｂおよび皿部Ｃｅを嵌合するようにしてクリップＣを電線受部２１の基部２１ａに保持させておく。次いで、第１実施形態と同様に、幹線Ｗａを支持部２４Ａから２４Ｃにわたって係止するようにして直線方向に布線する。そして、幹線Ｗａから分岐すべき支線Ｗｂを分岐点Ｐにおいて幹線Ｗａに対し直交する方向に向けて布線し、支持部２４Ｂ、２４Ｄにそれぞれ係止する。このようにして、分岐点Ｐに配置されたクリップＣの上方に十字状の分岐部Ａが構成される。
【００２９】
次いで、図９（Ｂ）に示すように、対向する２対の腕部２３Ａ、２３Ｃと腕部２３Ｂ、２３Ｄのうち、先ず一方の腕部２３Ｃにおける案内溝２３ａの始点に沿って結束バンドＢ１を先端側から対向する他方の腕部２３Ａに向けて挿入する。挿入された結束バンドＢ１は案内溝２３ａに案内されながら分岐部Ａを構成する幹線Ｗａおよび支線Ｗｂの基部に干渉することなく、その下方の分岐点Ｐに配置されたクリップＣの挿通孔Ｃａに挿通され、更に所定の軌道を通ってＵ字状に屈曲し、対向する反対側の腕部２３Ａにおける案内溝２３ａの端部から突出する。次いで、腕部２３Ａから突出した結束バンドＢ１の先端部を対応する基端部の係止部Ｂｂに挿通して締め付け操作する。
【００３０】
そして、他方の腕部２３Ｂ、２３Ｄの案内溝２３ｂにも上記と同様の操作により結束バンドＢ２を挿入してクリップＣの挿通孔Ｃａを通過させると共に、突出した先端部を係止部Ｂｂに挿通して締め付け操作する。このようにして、電線保持具２０から幹線Ｗａおよび支線Ｗｂを持ち上げることなく支持部２４Ａ、２４Ｂ、２４Ｃ、２４Ｄに支持させた状態で分岐部Ａに対し結束バンドＢ１、Ｂ２を下面側で交叉させた状態で、かつクリップＣを固定した状態で配置することができる。これにより、図１０に示すように、分岐部Ａを構成する電線束（幹線Ｗａ、支線Ｗｂ）に対し２本の結束バンドＢ１、Ｂ２を交叉状に締め付け固定できると共に、分岐点Ｐの中心に対し精度よくクリップＣ付きの分岐部Ａを形成することができる。
【００３１】
以上のように、分岐用の電線保持具２０を用いることで、汎用の結束バンドＢ１、Ｂ２、クリップＣを用い、かつ、それぞれの結束バンドＢ１、Ｂ２の独立した通常の締め付け操作により分岐部Ａに対し、結束バンドＢ１、Ｂ２を交叉状に締め付け操作することができる。更に、結束バンドＢ１、Ｂ２による締め付け操作までの間、電線保持具２０に布線された幹線Ｗａおよび支線Ｗｂは、支持部２４Ａ、２４Ｂ、２４Ｃ、２４Ｄに支持したままで、持ち上げる必要がないので、電線束Ｗが引っ張られることによる分岐点Ｐの位置ズレを生じることもなく、簡易な操作により分岐点Ｐに対する位置決め精度のよい分岐部Ａを有するワイヤハーネスを製造することができる。
【００３２】
また、上記各実施形態において、十字状の４方向への分岐の他に、対となる腕部の本数を増やすことにより、３本以上の結束バンドを用いた多方向の分岐部の結束にも同様に対応することができる。また、電線受部の材質としては、結束バンドの挿入操作時の滑りのよい合成樹脂製を用いた例を示したが、金属製等他の材質を用いてもよい。上記各実施形態では、２本の結束バンドを腕部に対し１本ずつ挿入して締め付け固定した手順を示したが、２本を各腕部に挿入してからそれぞれの締め付け操作を行うようにしてもよい。また、上記各実施形態では電線受部を支柱に対し着脱交換可能な例を示したが、一体のものであってもよい。
【図面の簡単な説明】
【００３３】
【図１】本発明に電線保持具の第１実施形態の斜視図である。
【図２】（Ａ）は電線受部の平面図、（Ｂ）は正面図、（Ｃ）はＸ−Ｘ断面図である。
【図３】分岐部を有するワイヤハーネスの製造工程を示し、（Ａ）は幹線および支線を布線した状態の正面図、（Ｂ）は平面図である。
【図４】（Ａ）は結束バンドの正面図、（Ｂ）は側面図である。
【図５】（Ａ）（Ｂ）電線受部に布線された電線束への結束バンドの装着工程を示す断面図である。
【図６】（Ａ）電線受部に布線された電線束への結束バンドの締め付け状態を示す正面から見た断面図、（Ｂ）は平面図である。
【図７】第２実施形態の電線保持具を示し、（Ａ）は斜視図、（Ｂ）は平面図、（Ｃ）はＹ−Ｙ断面図である。
【図８】結束バンドと共に用いるクリップを示し、（Ａ）は正面図、（Ｂ）は側面図、（Ｃ）は結束バンドを挿通した状態の平面図である。
【図９】（Ａ）は電線受部の基部にクリップを配置した状態の平面図、（Ｂ）はＺ−Ｚ断面図である。
【図１０】分岐部にクリップ付の結束バンドを締め付けた状態の底面図である。
【図１１】（Ａ）〜（Ｃ）は従来例を示す図である。
【符号の説明】
【００３４】
１０、２０  電線保持具
１１、２１  電線受部
１１ａ、２１ａ基部
１２  支柱
１３Ａ、１３Ｂ、１３Ｃ、１３Ｄ、２３Ａ、２３Ｂ、２３Ｃ、２３Ｄ  腕部
１３ａ、１３ｂ、２３ａ、２３ｂ  案内溝
１４Ａ、１４Ｂ、１４Ｃ、１４Ｄ、２４Ａ、２４Ｂ、２４Ｃ、２４Ｄ  支持部
２６  嵌合凹部
Ａ  分岐部
Ｂ１、Ｂ２  結束バンド
Ｂｂ  係止部
Ｃ  クリップ
Ｃａ  挿通孔
Ｃｂ  台部
Ｃｃ  係止爪
Ｃｄ  係止部
Ｃｅ  皿部
Ｗ  電線束
Ｗａ  幹線
Ｗｂ  支線
Ｐ  分岐点
【図１】
0004770412.tif 000002
【図２】
0004770412.tif 000003
【図３】
0004770412.tif 000004
【図４】
0004770412.tif 000005
【図５】
0004770412.tif 000006
【図６】
0004770412.tif 000007
【図７】
0004770412.tif 000008
【図８】
0004770412.tif 000009
【図９】
0004770412.tif 000010
【図１０】
0004770412.tif 000011
【図１１】
0004770412.tif 000012